(57)【要約】【課題】英数文字列による気象・海象情報の表示を改め、船舶の一般的な利用者にとって気象・海象情報を容易に把握しやすくする。【解決手段】ＤＧＰＳ補正情報とともに、英数文字列で記述された気象・海象情報を船舶へ放送する中波ビーコン信号を受信するための受信機１０と、受信機１０で受信した中波ビーコン信号中の気象・海象情報を表示するためのディスプレイ５０とを備え、受信機１０で受信した中波ビーコン信号中の気象・海象情報を漢字かな文字列に表記変換するための表記変換ルール４１〜４４を記憶した表記対象リスト４０と、受信機１０で受信した中波ビーコン信号から気象・海象情報を抽出するとともに、表記対象リスト４０の表記変換ルール４１〜４４にしたがって、抽出した気象・海象情報を漢字かな文字列に表記変換し、漢字かな文字列に表記変換した気象・海象情報をディスプレイ５０に表示させるコンピュータ２０とを備える。【選択図】図１
2004258020.tif 000002
【特許請求の範囲】
【請求項１】
英数文字からなる気象・海象情報を受信する受信部と、該受信部で受信した気象・海象情報を表示する表示部とを備え、船舶に搭載される気象・海象情報表示装置において、
所定の英文字又は英文字列を、言語固有の文字又は文字列に変換するルールを記憶した記憶部と、
前記ルールに従って、前記受信した気象・海象情報の所定の英文字又は英文字列を、前記言語固有の文字又は文字列に変換するとともに、前記言語固有の文字又は文字列に変換した前記気象・海象情報を前記表示部に表示させる制御部とを備えることを特徴とする気象・海象情報表示装置。
【請求項２】
英数文字からなる気象・海象情報を受信する受信部と、前記受信部で受信した気象・海象情報を表示する表示部とを備え、船舶に搭載される気象・海象情報表示装置において、
前記気象・海象情報は、観測時刻情報を含み、
前記受信部で受信した、複数の観測時刻に対応する気象・海象情報を記憶する記憶部と、
前記記憶部に記憶した複数の観測時刻に対応する気象・海象情報を前記表示部に表示させる制御部とを備えることを特徴とする気象・海象情報表示装置。
【請求項３】
請求項２記載の気象・海象情報表示装置であって、
前記制御部は、前記記憶部に記憶された複数の観測時刻に対応する気象・海象情報に基づいて、前記観測時刻と前記気象・海象情報との関係を示すグラフを作成し、該作成したグラフを前記表示部に表示させることを特徴とする気象・海象情報表示装置。
【請求項４】
英数文字からなる気象・海象情報を受信する受信部と、該受信部で受信した気象・海象情報を表示する表示部とを備え、船舶に搭載される気象・海象情報表示装置において、
前記気象・海象情報は、観測地情報を含み、
地図上の観測地位置周辺に当該観測地に対応する気象・海象情報を重畳させた気象地図を作成し、該気象地図を前記表示部に表示させる制御部とを備えたことを特徴とする気象・海象情報表示装置。
【請求項５】
請求項４記載の気象・海象情報表示装置であって、
前記気象・海象情報は、気圧情報を含み、
前記制御部は、前記気圧情報を含む前記気象・海象情報に基づいて求めた等圧線を、前記地図上に、重畳させた気象地図を作成することを特徴とする気象・海象情報表示装置。
【請求項６】
請求項４又は５記載の気象・海象情報表示装置であって、
ＧＰＳ衛星からのＧＰＳ信号を受信するためのＧＰＳ信号受信部をさらに備え、
前記制御部は、前記地図上に、前記ＧＰＳ信号から算出した搭載船舶の現在位置を重畳させた気象地図を作成することを特徴とする気象・海象情報表示装置。
【請求項７】
請求項４、５又は６記載の気象・海象情報表示装置であって、
前記気象・海象情報が観測時刻情報を含み、
前記受信部で受信した、複数の観測時刻情報に対応する気象・海象情報を記憶する記憶部をさらに備え、
前記制御部は、前記複数の観測時刻情報毎に、前記気象地図を作成して、前記複数の気象地図を観測時刻順に、表示することを特徴とする気象・海象情報表示装置。
【請求項８】
英数文字からなる気象・海象情報を受信する受信部と、該受信部で受信した気象・海象情報を表示する表示部とを備え、船舶に搭載される気象・海象情報表示装置において、
前記受信部で受信した気象・海象情報を表す記号を前記表示部に表示する制御部とを備えたことを特徴とする気象・海象情報表示装置。
【請求項９】
請求項１〜８何れか１項記載の気象・海象情報表示装置であって、
前記気象・海象情報は、複数の観測地情報を含み、
前記気象・海象情報の観測地を選択するための選択手段をさらに備え、
前記制御部は、前記選択手段により選択された観測地に対応する気象・海象情報を表示することを特徴とする気象・海象情報表示装置。
【請求項１０】
請求項９記載の気象・海象情報表示装置であって、
ＧＰＳ衛星からのＧＰＳ信号を受信するためのＧＰＳ信号受信部をさらに備え、
前記選択手段は、前記ＧＰＳ信号から算出した搭載船舶の現在位置に基づいて、前記観測地を選択することを特徴とする気象・海象情報表示装置。
【請求項１１】
船舶に搭載される気象・海象情報表示装置内のコンピュータによって、受信部で受信した英数文字からなる気象・海象情報を表示部に表示させるための気象・海象情報表示プログラムであって、
前記コンピュータに、記憶部に記憶された所定の英文字又は英文字列を、言語固有の文字又は文字列に変換するルールに従って、前記受信した気象・海象情報の前記所定の英文字又は英文字列を、前記言語固有の文字又は文字列に変換させ、
前記言語固有の文字又は文字列に変換した気象・海象情報を前記表示部に表示させることを特徴とする気象・海象情報表示プログラム。
【請求項１２】
船舶に搭載される気象・海象情報表示装置内のコンピュータによって、受信部で受信した英数文字からなる気象・海象情報を表示部に表示させるための気象・海象情報表示プログラムであって、
前記気象・海象情報は、観測時刻情報を含み、
前記コンピュータに、前記受信部で受信した複数の観測時刻情報に対応する気象・海象情報を記憶部に記憶させ、
前記記憶部に記憶した複数の観測時刻情報に対応する気象・海象情報を前記表示部に表示させることを特徴とする気象・海象情報表示プログラム。
【請求項１３】
船舶に搭載される気象・海象情報表示装置内のコンピュータによって、受信部で受信した英数文字からなる気象・海象情報を表示部に表示させるための気象・海象情報表示プログラムであって、
前記気象・海象情報は、観測地情報を含み、
前記コンピュータに、地図上の観測地位置周辺に当該観測地に対応する気象・海象情報を重畳させた気象地図を作成させ、
該作成した気象・海象情報を前記表示部に表示させることを特徴とする気象・海象情報表示プログラム。
【請求項１４】
船舶に搭載される気象・海象情報表示装置内のコンピュータによって、受信部で受信した英数文字からなる気象・海象情報を表示部に表示させるための気象・海象情報表示プログラムであって、
前記コンピュータに、前記気象・海象情報を表す記号を前記表示部に表示させることを特徴とする気象・海象情報表示プログラム。
【発明の詳細な説明】
【技術分野】
【０００１】
この発明は、ＤＧＰＳ補正情報とともに、船舶を航行する際に重要な気象・海象情報を受信してディスプレイに表示する気象・海象情報表示装置および気象・海象情報表示プログラムに係るものである。
【背景技術】
【０００２】
現在海上保安庁では、中波無線局によって、中波無線標識（中波ビーコン信号）の運用を実施するとともに、灯台などの観測地で観測した局地的な気象・海象情報を音声提供する船舶気象通報や、ＧＰＳ（注１）の船位算出精度を補強するためのＤＧＰＳ（注２）補正情報の放送などを実施している。ＤＧＰＳ補正情報は、ＲＴＣＭ（注３）−１０４勧告で６３種類にタイプ分類されたフォーマットにしたがって船舶に放送されている。例えば既に決定されたＲＴＣＭ−１０４勧告のフォーマットのタイプおよび情報内容には、以下のようなものがある。
【０００３】
タイプ１：ＤＧＰＳ補正情報、タイプ２：デルタ補正情報、タイプ３：基準局情報、タイプ５：補正の質情報、タイプ６：無効放送情報、タイプ７：ビーコン局情報、タイプ９：ＤＧＰＳ補正情報、タイプ１６：特殊メッセージ。
【０００４】
ここで、最後に示したタイプ１６の特殊メッセージ（以下、タイプ１６メッセージと記す）とは、８ビットＡＳＣＩＩコードを使った英数文字情報、すなわち国際海事英語で記述される文字情報である（文字数は最大９０文字）。現在日本では、浦安局および剣崎局の各中波無線局において、例えば次の図１８の操船支援情報提供システムで説明するように、ＤＧＰＳ補正情報とともに、タイプ１６メッセージの文字情報を使った気象・海象情報が試験放送中である（２００３年１月現在、現試験放送の文字数は最大４５文字）。なお、この試験放送終了後には、タイプ１６メッセージによる気象・海象情報の実用化放送も予定されている。
【０００５】
図１８は操船支援情報提供システムの構成を示す図である。図１８において、１００は従来の気象・海象情報表示装置が搭載された海洋上の船舶局、２００および３００はそれぞれ陸上のＤＧＰＳ局（中波無線局）およびＤＧＰＳセンター、４００は上空のＧＰＳ衛星、１１０は船舶局１００のＧＰＳアンテナ、１２０は船舶局１００の受信アンテナ、２１０はＤＧＰＳ局２００のＧＰＳアンテナ、２２０はＤＧＰＳ局２００の送信アンテナである。
【０００６】
また、図１８において、ＳｇはＧＰＳ衛星４００のＧＰＳ信号、Ｓｗは各観測地の気象観測結果をＤＧＰＳセンター３００で定期的に収集した気象・海象情報、ＳｂはＤＧＰＳ局２００から船舶局１００に向けて放送される中波ビーコン信号である。
【０００７】
次に動作について説明する。ＤＧＰＳ局２００では、ＧＰＳ衛星４００からのＧＰＳ信号ＳｇをＧＰＳアンテナ２１０で受信して処理し、ＧＰＳ信号Ｓｇの誤差を補正するためのＤＧＰＳ補正情報を算出している。同時に、気象・海象情報ＳｗがＤＧＰＳセンター３００からＤＧＰＳ局２００へ提供されており、ＤＧＰＳ局２００は、ＤＧＰＳ補正情報と気象・海象情報Ｓｗとを中波ビーコン信号Ｓｂとして送信アンテナ２２０から船舶局１００へ放送する。
【０００８】
船舶局１００は、ＤＧＰＳ局２００からの中波ビーコン信号Ｓｂを受信アンテナ１２０で受信する。この中波ビーコン信号ＳｂのＤＧＰＳ補正情報は、ＧＰＳアンテナ１１０で受信したＧＰＳ信号Ｓｇの誤差を補正するために用いられる。また、中波ビーコン信号Ｓｂの気象・海象情報Ｓｗは、従来の気象・海象情報表示装置によって船舶局１００のディスプレイに文字情報として表示される。中波ビーコン信号Ｓｂを利用することで、船舶局１００は、自船の正確な位置を把握できると同時に、航海にとって重要な気象・海象情報を把握することができ、航海の安全性を判断するための操船支援情報を取得することができる。
【０００９】
以上に説明したように、図１８の操船支援情報提供システムでは、中波ビーコン信号Ｓｂを使って各観測地の気象・海象情報ＳｗをＤＧＰＳ局２００から放送し、船舶局１００では、気象・海象情報表示装置によって、中波ビーコン信号Ｓｂを受信し、タイプ１６メッセージの気象・海象情報を文字情報として汎用のディスプレイに表示している。記録性を有さず、定時放送形式であるために聞き逃しの問題を持った音声通信形式の船舶気象通報と比較すると、タイプ１６メッセージによる気象・海象情報の放送は、ディスプレイに表示された気象・海象情報が文字情報として残るため、記録性を有しており、聞き逃しがないという特長を持っている。
【００１０】
続いて、タイプ１６メッセージに関して、もう少し説明する。前述の通り、タイプ１６メッセージは、種々のメッセージを記述できるように、８ビットＡＳＣＩＩコードを使った英数文字列と定められている。日本の場合には、次の図１９に示すようにしてタイプ１６メッセージに気象・海象情報を記述している。
【００１１】
図１９はタイプ１６メッセージに記述された気象・海象情報を示す図であり、図１９（ａ）は一般的なタイプ１６メッセージ、図１９（ｂ）は野島崎の気象・海象情報の一例、図１９（ｃ）は石廊崎の気象・海象情報の一例をそれぞれ表している。
【００１２】
図１９において、Ｔ１６は一般的なタイプ１６メッセージ、Ｔ１６−１，Ｔ１６−２はそれぞれタイプ１６メッセージの気象・海象情報である。また、ｓ１，ｓ２は観測地、ｔ１，ｔ２は観測時刻、ｄ１，ｄ２は風向、ｖ１，ｖ２は風速、ｐ１，ｐ２は気圧、ｎは波の高さ、ｕはうねりを意味する各文字列である。観測地ｓ１，ｓ２などから分かるように、例えば地名はローマ字表記になっている。これらの各文字列ｓ１〜ｕはブランクで区切られてタイプ１６メッセージＴ１６−１，Ｔ１６−２を構成している。なお、図１９では、ヘッダとして使われる先頭の文字は図示を省略している。
【００１３】
図１９（ｂ）のタイプ１６メッセージＴ１６−１の場合、文字列ｓ１が観測地：野島崎、文字列ｔ１が観測時刻：１２時５５分を表しており、この観測結果として、風向：東北東の風（文字列ｄ１）、風速：２０ｍ（文字列ｖ１）、気圧：１０１２ｈＰａ（文字列ｐ１）、波の高さ（文字列ｎ）：１、うねり（文字列ｕ）：１の気象・海象情報が得られたことを示している。
【００１４】
同様に、図１９（ｃ）のタイプ１６メッセージＴ１６−２は、観測地：石廊崎（文字列ｓ２）、観測時刻：１２時５５分（文字列ｔ２）、風向：北北東の風（文字列ｄ２）、風速：１０ｍ（文字列ｖ２）、気圧：１００８ｈＰａ（文字列ｐ２）となっている。文字列ｐ２以後のブランクは、石廊崎では、波の高さ、うねりを計測していないことを意味する。
【００１５】
図２０は従来の気象・海象情報表示装置のディスプレイに表示された気象・海象情報を示す図であり、タイプ１６メッセージＴ１６−１，Ｔ１６−２を表示したものである。図２０において、１５０は従来の気象・海象情報表示装置のディスプレイ、１５１，１５２はそれぞれディスプレイに表示された野島崎および石廊崎の気象・海象情報であり、タイプ１６メッセージＴ１６−１，Ｔ１６−２の表示結果に当たる。
【００１６】
表示結果１５１，１５２から分かる通り、従来の気象・海象情報表示装置では、図１９に示したタイプ１６メッセージＴ１６−１，Ｔ１６−２をＡＳＣＩＩコードの英数文字でディスプレイ１５０にそのまま表示している。また、新たに受信したタイプ１６メッセージの気象・海象情報は、表示結果１５１，１５２に上書き表示される。
【００１７】
（注１）ＧＰＳ
Ｇｌｏｂａｌ  Ｐｏｓｉｔｉｏｎｉｎｇ  Ｓｙｓｔｅｍ（英）の略
（注２）ＤＧＰＳ
Ｄｉｆｆｅｒｅｎｔｉａｌ  Ｇｌｏｂａｌ
Ｐｏｓｉｔｉｏｎｉｎｇ  Ｓｙｓｔｅｍ（英）の略
（注３）ＲＴＣＭ
ｔｈｅ  Ｒａｄｉｏ  Ｔｅｃｈｎｉｃａｌ  Ｃｏｍｍｉｓｓｉｏｎ
ｆｏｒ  Ｍａｒｉｔｉｍｅ  Ｓｅｒｖｉｃｅｓ（英）の略
【発明の開示】
【発明が解決しようとする課題】
【００１８】
気象・海象情報が英数文字で表示されてしまう理由は、タイプ１６メッセージが８ビットＡＳＣＩＩコードによる英数文字表記に規定されているためである。また、今後、海外から来航した船舶もタイプ１６メッセージを受信・表示可能にするために、タイプ１６メッセージは英数文字で提供され続ける。
【００１９】
したがって、気象・海象情報は必然的に英数文字で表示されるようになり、英数文字表記に不慣れな船舶の利用者にとっては、文字を読んで理解できないわけではないが、船舶上で各種の作業を行っている最中に放送内容を瞬時に認識するには不都合があった。
【００２０】
また、タイプ１６メッセージは、一定時刻又は一定間隔で放送され、内容が更新されるまで同じ内容が繰り返されるので読み逃すことはない。しかし、上記タイプ１６メッセージの放送は、新しい気象・海象情報について行われるが、過去の放送内容については再放送されることがない。
【００２１】
しかも、従来の気象・海象情報表示装置は、過去のタイプ１６メッセージを記憶しておく手段を備えておらず、新たに受信したタイプ１６メッセージの気象・海象情報がディスプレイに順次上書きされてしまい、過去の気象・海象情報については表示することができない。
【００２２】
そこで、文字放送を読んだ利用者は自船舶に関係する情報を海図上にメモするなどしておくことが当然必要となる。このような作業も船舶上で各種の作業を行っている最中に行うことは不都合であった。
【００２３】
そこで、本発明は、上記のような問題点に着目し、船舶上で利用するにあたっての不都合をできる限り解消するようにして、利便性を高めた気象・海象情報表示装置及び気象・海象情報表示プログラムを提供することを課題とする。
【課題を解決するための手段】
【００２４】
上記課題を解決するためになされた請求項１記載の発明は、英数文字からなる気象・海象情報を受信する受信部と、該受信部で受信した気象・海象情報を表示する表示部とを備え、船舶に搭載される気象・海象情報表示装置において、所定の英文字又は英文字列を、言語固有の文字又は文字列に変換するルールを記憶した記憶部と、前記ルールに従って、前記受信した気象・海象情報の所定の英文字又は英文字列を、前記言語固有の文字又は文字列に変換するとともに、前記言語固有の文字又は文字列に変換した前記気象・海象情報を前記表示部に表示させる制御部とを備えることを特徴とする気象・海象情報表示装置に存する。
【００２５】
請求項１１記載の発明は、船舶に搭載される気象・海象情報表示装置内のコンピュータによって、受信部で受信した英数文字からなる気象・海象情報を表示部に表示させるための気象・海象情報表示プログラムであって、前記コンピュータに、記憶部に記憶された所定の英文字又は英文字列を、言語固有の文字又は文字列に変換するルールに従って、前記受信した気象・海象情報の前記所定の英文字又は英文字列を、前記言語固有の文字又は文字列に変換させ、前記言語固有の文字又は文字列に変換した気象・海象情報を前記表示部に表示させることを特徴とする気象・海象情報表示プログラムに存する。
【００２６】
請求項１及び１１記載の発明によれば、英数文字からなる気象・海象情報のうち、英文字又は英文字列については、船舶上で利用する利用者が日常的に使う言語固有の文字又は文字列に変換されて、表示されるため、英文字を日常的に使わない利用者が気象・海象情報を一瞬で把握し易くなる。
【００２７】
請求項２記載の発明は、英数文字からなる気象・海象情報を受信する受信部と、前記受信部で受信した気象・海象情報を表示する表示部とを備え、船舶に搭載される気象・海象情報表示装置において、前記気象・海象情報は、観測時刻情報を含み、前記受信部で受信した、複数の観測時刻に対応する気象・海象情報を記憶する記憶部と、前記記憶部に記憶した複数の観測時刻に対応する気象・海象情報を前記表示部に表示させる制御部とを備えることを特徴とする気象・海象情報表示装置に存する。
【００２８】
請求項１２記載の発明は、船舶に搭載される気象・海象情報表示装置内のコンピュータによって、受信部で受信した英数文字からなる気象・海象情報を表示部に表示させるための気象・海象情報表示プログラムであって、前記気象・海象情報は、観測時刻情報を含み、前記コンピュータに、前記受信部で受信した複数の観測時刻情報に対応する気象・海象情報を記憶部に記憶させ、前記記憶部に記憶した複数の観測時刻情報に対応する気象・海象情報を前記表示部に表示させることを特徴とする気象・海象情報表示プログラムに存する。
【００２９】
請求項２及び１２記載の発明によれば、複数の観測時間に対応する気象・海象情報が表示部に表示されるため、利用者自身が気象・海象情報をメモしなくても、過去の気象・海象情報を知ることができる。
【００３０】
請求項３記載の発明は、請求項２記載の気象・海象情報表示装置であって、前記制御部は、前記記憶部に記憶された複数の観測時刻に対応する気象・海象情報に基づいて、前記観測時刻と前記気象・海象情報との関係を示すグラフを作成し、該作成したグラフを前記表示部に表示させることを特徴とする気象・海象情報表示装置に存する。
【００３１】
請求項３記載の発明によれば、複数の観測時刻と気象・海象情報との関係を示すグラフが表示部に表示されるため、気象・海象情報の時間的な推移・変化が把握し易くなる。
【００３２】
請求項４記載の発明は、英数文字からなる気象・海象情報を受信する受信部と、該受信部で受信した気象・海象情報を表示する表示部とを備え、船舶に搭載される気象・海象情報表示装置において、前記気象・海象情報は、観測地情報を含み、地図上の観測地位置周辺に当該観測地に対応する気象・海象情報を重畳させた気象地図を作成し、該気象地図を前記表示部に表示させる制御部とを備えたことを特徴とする気象・海象情報表示装置に存する。
【００３３】
請求項１３記載の発明は、船舶に搭載される気象・海象情報表示装置内のコンピュータによって、受信部で受信した英数文字からなる気象・海象情報を表示部に表示させるための気象・海象情報表示プログラムであって、前記気象・海象情報は、観測地情報を含み、前記コンピュータに、地図上の観測地位置周辺に当該観測地に対応する気象・海象情報を重畳させた気象地図を作成させ、該作成した気象・海象情報を前記表示部に表示させることを特徴とする気象・海象情報表示プログラムに存する。
【００３４】
請求項４及び１３記載の発明によれば、受信した気象・海象情報の観測地が英文字で表記されていても、地図上の観測地位置周辺にその観測地に対応する気象・海象情報を重畳することにより、英文字を日常的に使わない利用者が気象・海象情報を一瞬で把握し易くなる。
【００３５】
請求項５記載の発明は、請求項４記載の気象・海象情報表示装置であって、前記気象・海象情報は、気圧情報を含み、前記制御部は、前記気圧情報を含む前記気象・海象情報に基づいて求めた等圧線を、前記地図上に、重畳させた気象地図を作成することを特徴とする気象・海象情報表示装置に存する。
【００３６】
請求項５記載の発明によれば、等圧線を重畳させた気象地図を作成しているため、利用者自身が地図上に気圧情報を含む気象・海象情報をメモして、等圧線を書く必要がない。
【００３７】
請求項６記載の発明は、請求項４又は５記載の気象・海象情報表示装置であって、ＧＰＳ衛星からのＧＰＳ信号を受信するためのＧＰＳ信号受信部をさらに備え、前記制御部は、前記地図上に、前記ＧＰＳ信号から算出した搭載船舶の現在位置を重畳させた気象地図を作成することを特徴とする気象・海象情報表示装置に存する。
【００３８】
請求項６記載の発明によれば、搭載船舶位置を重畳させることにより、搭載船舶位置と観測地との位置関係が一目で明瞭になり、観測地の気象・海象情報を総合的に把握できるようになる。
【００３９】
請求項７記載の発明は、請求項４、５又は６記載の気象・海象情報表示装置であって、前記気象・海象情報が観測時刻情報を含み、前記受信部で受信した、複数の観測時刻情報に対応する気象・海象情報を記憶する記憶部をさらに備え、前記制御部は、前記複数の観測時刻情報毎に、前記気象地図を作成して、前記複数の気象地図を観測時刻順に、表示することを特徴とする気象・海象情報表示装置に存する。
【００４０】
請求項７記載の発明によれば、複数の観測時刻毎に、気象地図を作成して、複数の気象地図を観測時刻順に、表示されるため、利用者自身が気象・海象情報をメモしなくても、過去の気象・海象情報を把握することができる。
【００４１】
請求項８記載の発明は、英数文字からなる気象・海象情報を受信する受信部と、該受信部で受信した気象・海象情報を表示する表示部とを備え、船舶に搭載される気象・海象情報表示装置において、前記受信部で受信した気象・海象情報を表す記号を前記表示部に表示する制御部とを備えたことを特徴とする気象・海象情報表示装置に存する。
【００４２】
請求項１４記載の発明は、船舶に搭載される気象・海象情報表示装置内のコンピュータによって、受信部で受信した英数文字からなる気象・海象情報を表示部に表示させるための気象・海象情報表示プログラムであって、前記コンピュータに、前記気象・海象情報を表す記号を前記表示部に表示させることを特徴とする気象・海象情報表示プログラムに存する。
【００４３】
請求項８及び１４記載の発明によれば、英数文字からなる気象・海象情報が放送されているとしても、気象・海象情報を表す記号を作成して、表示するため、英文字を日常的に使わない利用者が気象・海象情報を一瞬で把握し易くなる。
【００４４】
請求項９記載の発明は、請求項１〜８何れか１項記載の気象・海象情報表示装置であって、前記気象・海象情報は、複数の観測地情報を含み、前記気象・海象情報の観測地を選択するための選択手段をさらに備え、前記制御部は、前記選択手段により選択された観測地に対応する気象・海象情報を表示することを特徴とする気象・海象情報表示装置に存する。
【００４５】
請求項９記載の発明によれば、選択手段により選択された観測地に対応する気象・海象情報を表示することにより、多くの観測地における気象・海象情報の中から、船舶に必要な気象・海象情報を表示することができるようになる。
【００４６】
請求項１０記載の発明は、請求項９記載の気象・海象情報表示装置であって、ＧＰＳ衛星からのＧＰＳ信号を受信するためのＧＰＳ信号受信部をさらに備え、前記選択手段は、前記ＧＰＳ信号から算出した搭載船舶の現在位置に基づいて、前記観測地を選択することを特徴とする気象・海象情報表示装置に存する。
【００４７】
請求項１０記載の発明によれば、ＧＰＳ信号に基づいた搭載船舶の位置に基づいて、観測地を選択することにより、手動で観測地の選択を行わなくても、船舶に必要な観測地の気象・海象情報を表示することができる。
【発明の効果】
【００４８】
以上のように、請求項１及び１１記載の発明によれば、英数文字からなる気象・海象情報のうち、英文字又は英文字列については、船舶上で利用する利用者が日常的に使う言語固有の文字又は文字列に変換されて、表示されるため、英文字を日常的に使わない利用者が気象・海象情報を一瞬で把握し易くなるので、気象・海象情報を船舶上で利用するにあたっての不都合を解消し、利便性を高めた気象・海象情報表示装置及び気象・海象情報表示プログラムを得ることができる。
【００４９】
請求項２及び１２記載の発明によれば、複数の観測時間に対応する気象・海象情報が表示部に表示されるため、利用者自身が気象・海象情報をメモしなくても、過去の気象・海象情報を知ることができるので、気象・海象情報を船舶上で利用するにあたっての不都合を解消し、利便性を高めた気象・海象情報表示装置及び気象・海象情報表示プログラムを得ることができる。
【００５０】
請求項３記載の発明によれば、複数の観測時刻と気象・海象情報との関係を示すグラフが表示部に表示されるため、気象・海象情報の時間的な推移・変化が把握し易くなるので、より一層利便性を高めた気象・海象情報表示装置及び気象・海象情報表示プログラムを得ることができる。
【００５１】
請求項４及び１３記載の発明によれば、受信した気象・海象情報の観測地が英文字で表記されていても、地図上の観測地位置周辺にその観測地に対応する気象・海象情報を重畳することにより、英文字を日常的に使わない利用者が気象・海象情報を一瞬で把握し易くなるので、気象・海象情報を船舶上で利用するにあたっての不都合を解消し、利便性を高めた気象・海象情報表示装置及び気象・海象情報表示プログラムを得ることができる。
【００５２】
請求項５記載の発明によれば、等圧線を重畳させた気象地図を作成しているため、利用者自身が地図上に気圧情報を含む気象・海象情報をメモして、等圧線を書く必要がないので、より一層利便性を高めた気象・海象情報表示装置を得ることができる。
【００５３】
請求項６記載の発明によれば、搭載船舶位置を重畳させることにより、搭載船舶位置と観測地との位置関係が一目で明瞭になり、観測地の気象・海象情報を総合的に把握できるようになるので、より一層利便性を高めた気象・海象情報表示装置を得ることができる。
【００５４】
請求項７記載の発明によれば、複数の観測時刻毎に、気象地図を作成して、複数の気象地図を観測時刻順に、切替表示されるため、利用者自身が気象・海象情報をメモしなくても、過去の気象・海象情報を把握することができるので、より一層利便性を高めた気象・海象情報表示装置を得ることができる。
【００５５】
請求項８記載の発明によれば、英数文字からなる気象・海象情報が放送されているとしても、気象・海象情報を、その気象・海象情報を表す記号に変換して、表示するため、英文字を日常的に使わない利用者が気象・海象情報を一瞬で把握し易くなるので、気象・海象情報を船舶上で利用するにあたっての不都合を解消し、利便性を高めた気象・海象情報表示装置を得ることができる。
【００５６】
請求項９記載の発明によれば、選択手段により選択された観測地に対応する気象・海象情報を表示することにより、多くの観測地における気象・海象情報の中から、船舶に必要な気象・海象情報を表示することができるようになるので、より一層利便性を高めた気象・海象情報表示装置を得ることができる。
【００５７】
請求項１０記載の発明によれば、ＧＰＳ信号に基づいた搭載船舶の位置に基づいて、観測地を選択することにより、手動で観測地の選択を行わなくても、船舶に必要な観測地の気象・海象情報を表示することができるので、より一層利便性を高めた気象・海象情報表示装置を得ることができる。
【発明を実施するための最良の形態】
【００５８】
以下、この発明の実施の一形態を説明する。
実施の形態１．
図１はこの発明の実施の形態１による気象・海象情報表示装置の構成を示す図であり、この気象・海象情報表示装置は図１８の操船支援情報提供システムにおける船舶局に適用される。図１において、１０は受信機（請求項中の受信部に相当）、２０はコンピュータ（請求項中の制御部に相当）、３０は気象・海象情報表示装置を操作するためのユーザインタフェース（以下、ＵＩ）、４０は表記対照リスト（請求項中の記憶部に相当）、５０は気象・海象情報を表示するディスプレイ（請求項中の表示部に相当）である。また、コンピュータ２０において、２１，２２，２３はそれぞれメッセージ抽出手段、表記変換手段、表示処理手段である。
【００５９】
受信機１０は、ＤＧＰＳ補正情報とともにタイプ１６メッセージを船舶に放送する中波ビーコン信号を受信するものである。コンピュータ２０は、不図示のプログラム用メモリに記憶された気象・海象情報表示プログラムにしたがって動作し、この実施の形態１では、メッセージ抽出手段２１，表記変換手段２２および表示処理手段２３として機能する。また、表記対照リスト４０は、タイプ１６メッセージを表記変換する際にコンピュータ２０が検索するもので、次の図２で説明するような構造を有している。
【００６０】
図２は表記対照リスト４０を概念的に説明するための図である。図２において、４１，４２，４３，４４はそれぞれ気象・海象情報の観測地、風向、波、うねりに関する表記変換ルールである。
【００６１】
最初の表記変換ルール４１には、タイプ１６メッセージ中の観測地に関する英文字又は英文字列（以下単に文字列と略記）と、これに対応する日本語固有の漢字かな文字又は漢字かな文字列とが記憶されている。図２では、例えば“ＩＮＵＢＯＵ”⇒「犬吠崎」、“ＮＯＪＩＭＡ”⇒「野島崎」、“ＩＲＯＵ”⇒「石廊崎」、“ＨＡＴＩＪＯ”⇒「八丈島」などが対応付けされている。次の表記変換ルール４２は、“Ｎ”⇒「北」、…、“Ｗ”⇒「西」、“ＮＥ”⇒「北東」、…、“ＮＷ”⇒「北西」、“ＮＮＥ”⇒「北北東」、…、“ＮＮＷ”⇒「北北西」の風向１６方位に関する対応付けと、“ＫＡＺＥ”⇒「風」とが記憶してある。さらに、表記変換ルール４３には“ＮＡＭＩ”⇒「波」が、表記変換ルール４４には“ＵＮＥＲＩ”⇒「うねり」がそれぞれ記憶されている。
【００６２】
次に動作について説明する。気象・海象情報表示装置のディスプレイ５０には、表記対照リスト４０の表記変換ルール４１が表示されており、利用者はディスプレイ５０上の表記変換ルール４１を参照して１以上の観測地をＵＩ３０で入力する。コンピュータ２０は、選択手段として働き、この入力された観測地をディスプレイ５０に表示すべき観測地として選択する。
【００６３】
以下の説明では、「野島崎」と「石廊崎」とを観測地（以下、対象観測地と記す）として選択した場合について説明する。上記のようにして対象観測地「野島崎」、「石廊崎」が選択されると、コンピュータ２０は対象観測地「野島崎」、「石廊崎」に対応する“ＮＯＪＩＭＡ”，“ＩＲＯＵ”を記憶し、気象・海象情報表示プログラムにしたがって次の図３の動作を開始する。
【００６４】
図３はこの発明の実施の形態１による気象・海象情報表示装置の動作を示すフローチャートであり、メッセージ抽出手段２１，表記変換手段２２および表示処理手段２３の各動作を示している。
【００６５】
まずステップＳＴ１０では、コンピュータ２０はメッセージ抽出手段２１として機能し、受信機１０による中波ビーコン信号の受信有無を判定する。受信機１０で中波ビーコン信号を受信しておらずステップＳＴ１０でＮＯの間は、ステップＳＴ１０を繰り返し実行し、中波ビーコン信号の受信待ち状態になる。そして、受信機１０で中波ビーコン信号を受信すると（ステップＳＴ１０でＹＥＳ）、ステップＳＴ１０からステップＳＴ２０へ移行し、メッセージ抽出手段２１は中波ビーコン信号からタイプ１６メッセージを抽出する。
【００６６】
続いてステップＳＴ３０に移ると、コンピュータ２０は表記変換手段２２として機能し、ステップＳＴ２０で抽出したタイプ１６メッセージの先頭の文字列に、対象観測地「野島崎」、「石廊崎」に対応する英文字列“ＮＯＪＩＭＡ”または“ＩＲＯＵ”が記述されているかどうかをまず判定する。タイプ１６メッセージに“ＮＯＪＩＭＡ”も“ＩＲＯＵ”も記述されていなければ（ステップＳＴ３０でＮＯ）、ステップＳＴ１０に戻って新たな中波ビーコン信号の受信を待ち受ける。
【００６７】
一方、例えば図１９（ｂ）に示したタイプ１６メッセージＴ１６−１がステップＳＴ２０で抽出された場合、その先頭に“ＮＯＪＩＭＡ”が記述されているのでステップＳＴ３０でＹＥＳとなり、この実施の形態１を特徴付けるステップＳＴ４０の気象・海象情報表記変換が行われる。
【００６８】
図４は気象・海象情報表記変換ステップＳＴ４０における気象・海象情報表示装置の動作を示すフローチャートであり、タイプ１６メッセージＴ１６−１の先頭の文字列ｓ１から順に、表記変換手段２２が表記対象リスト４０を検索して表記変換を行う際の動作である。
【００６９】
＜文字列ｓ１＞
はじめのステップＳＴ４１では、先頭の文字列ｓ１に数字が含まれているかどうかを判定する。“ＮＯＪＩＭＡ”と記述された文字列ｓ１はアルファベットのみで数字を含まないため（ステップＳＴ４１でＮＯ）ステップＳＴ４２へ進む。そしてステップＳＴ４２で表記対象リスト４０から文字列ｓ１を検索し、この検索結果の判定をステップＳＴ４３で行っている。
【００７０】
ここでは、表記変換ルール４１中に“ＮＯＪＩＭＡ”が存在するため（ステップＳＴ４３でＹＥＳ）、以下に示すように、表記変換ルール４１中で“ＮＯＪＩＭＡ”に対応付けされた漢字かな文字列「野島崎」に文字列ｓ１を表記変換する（ステップＳＴ４４）。なお、数字を含まない文字列が表記変換リスト４０中に存在しない場合（ステップＳＴ４３でＮＯ）、ステップＳＴ４７へ移り無変換で処理する。
【００７１】
文字列ｓ１⇒「野島崎」
【００７２】
文字列ｓ１が表記変換されると、続いて、タイプ１６メッセージＴ１６−１に残りの文字列が存在するかどうかを確認する（ステップＳＴ４５）。ここでは、まだ文字列ｔ１，ｄ１，ｖ１，ｐ１，ｎ，“１”，ｕ，“１”と残りが存在するため（ステップＳＴ４５でＹＥＳ）、ステップＳＴ４６で次の文字列ｔ１に移ってステップＳＴ４１からの処理を実施する。
【００７３】
＜文字列ｔ１＞
文字列ｔ１は“１２５５”と数字を含んでいるため（ステップＳＴ４１でＹＥＳ）、表記変換手段２２は、以下に示すように表記変換を行わず（ステップＳＴ４７）、ステップＳＴ４５，ＳＴ４６で次の文字列ｄ１の処理へ移る。
【００７４】
文字列ｔ１⇒「１２５５」
【００７５】
＜文字列ｄ１＞
文字列ｄ１は“ＥＮＥ”なので、ステップＳＴ４１でＮＯとなってステップＳＴ４２へ移り、表記変換手段２２は表記対象リスト４０を検索する。表記変換ルール４２に“ＥＮＥ”があるため（ステップＳＴ４３でＹＥＳ）、ステップＳＴ４４で以下のように表記変換する。そして、ステップＳＴ４５，ＳＴ４６を経由して次の文字列ｖ１に移る。
【００７６】
文字列ｄ１⇒「東北東」
【００７７】
＜文字列ｖ１＞
文字列ｖ１は“２０ｍ”であるため（ステップＳＴ４１でＹＥＳ）、下記の通り無変換（ステップＳＴ４７）の後に、ステップＳＴ４５，ＳＴ４６で次の文字列ｄ１になる。
【００７８】
文字列ｖ１⇒「２０ｍ」
【００７９】
＜文字列ｐ１＞
表記変換手段２２は、数字を含んだ“１０１２ｈＰａ”の文字列ｐ１をステップＳＴ４１でＹＥＳ，ステップＳＴ４７と処理し（下記参照）、ステップＳＴ４５，ＳＴ４６で次の文字列ｎ１に移る。
【００８０】
文字列ｐ１⇒「１０１２ｈＰａ」
【００８１】
＜文字列ｎ１＞
文字列ｎ１は“ＮＡＭＩ”で数字を含まないため（ステップＳＴ４１でＮＯ）、表記変換手段２２は表記対象リスト４０を検索して（ステップＳＴ４２）表記変換ルール４３から“ＮＡＭＩ”を探し出し（ステップＳＴ４３でＹＥＳ）、以下のように表記変換して（ステップＳＴ４４）から次の文字列“１”に移る。
【００８２】
文字列ｎ１⇒「波」
【００８３】
＜文字列“１”＞
表記変換手段２２は、ステップＳＴ４１，ＳＴ４７の順で文字列“１”を処理し、次の文字列ｕ１に処理を移す。
【００８４】
文字列“１”⇒「１」
【００８５】
＜文字列ｕ１＞
“ＵＮＥＲＩ”と記述された文字列ｕ１に関して、表記変換手段２２は、ステップＳＴ４１でＮＯ，ステップＳＴ４２の検索後、ステップＳＴ４４で文字列ｎ１を次のように表記変換する。
【００８６】
文字列ｕ１⇒「うねり」
【００８７】
＜文字列“１”＞
前述の場合と同様に、文字列“１”⇒「１」とする。
【００８８】
以上のようにして、図４に示した気象・海象情報表記変換が完了すると、図３のステップＳＴ５０でコンピュータ２０は表示処理手段２３として機能し、表記変換後の各文字列「野島崎」、「１２５５」、「東北東」、「２０ｍ」、「１０１２ｈＰａ」、「波」、「１」、「うねり」、「１」をディスプレイ５０に表示して、図３の動作を完了する。
【００８９】
図５は図１の気象・海象情報表示装置のディスプレイ５０に表示された気象・海象情報の一例を示す図であり、タイプ１６メッセージＴ１６−１，Ｔ１６−２を図３，図４の動作によって処理した気象・海象情報５１，５２の表示結果である。
【００９０】
図５と図２０とを比較すると一目で分かるように、この実施の形態１による気象・海象情報表示装置、従来の気象・海象情報表示装置の両者とも、同一の対象観測地の気象・海象情報を表示しているにも係らず、日本人にとっては、図４の方が気象・海象情報を断然把握しやすい。これは多くを説明するまでもなく、日常的に使っている漢字かな文字又は文字列で気象・海象情報を表示した図４の方が理解しやすいのは当然のことである。このように、表記対照リスト４０を用いて、英数文字で記述された気象・海象情報を漢字かな表記に表記変換することで、船舶の一般的な利用者にとって、船舶の安全性を確保するための気象・海象情報を把握しやすくすることができる。
【００９１】
なお、以上の説明では、気象・海象情報表示装置の利用者として日本人を対象とした表記対照リスト４０を用いたが、この実施の形態１はこれに限定されるものではない。例えば中国語や韓国語、仏語などの他の言語に関する表記対照リストを使ってタイプ１６メッセージを表記変換しても良く、船舶の利用者に応じて種々に使い分けることが可能である。
【００９２】
また、以上の説明では、ＵＩ３０によって入力された観測地をディスプレイ５０に表示する観測地として選択して、多くの観測地における気象・海象情報の中から、船舶に必要な気象・海象情報だけを選択できるようにしていた。しかしながら、この実施の形態１はこれに限定されるものではない。例えば図６に示すように、ＧＰＳ信号を受信するＧＰＳ受信機６０を備え、ＧＰＳ受信機６０で受信したＧＰＳ信号と、受信機１０で受信した中波ビーコン信号のＤＧＰＳ補正情報とを利用して船舶の正確な位置をコンピュータ（船位計測手段）２４で算出し、この船舶の正確な位置を元にして表記対象リスト４０の表記変換ルール４１から対象観測地をコンピュータ２０が自動的に選択するようにしても良く、同様の効果が得られる。
【００９３】
さらに、図２の表記変換リスト４０は、図１９のタイプ１６メッセージＴ１６−１，Ｔ１６−２から図５の気象・海象情報５１，５２を導き出すための一例であり、表記変換リスト４０の表記変換ルール４１〜４４は、タイプ１６メッセージ中の各文字列に合わせて適宜変更することが可能である。例えば数字を含む文字列に対しても表記変換ルールを作成しておき、文字列ｖ１⇒「２０メートル」、文字列ｐ１⇒「１０１２ヘクトパスカル」などのように、表記変換を行うようにしても良い。加えて、図３，図４のフローチャートも同様に変更可能であり、この実施の形態１を限定するものではない。
【００９４】
さらに、図５では、ディスプレイ５０に表示した気象・海象情報５１，５２をさらに把握しやすくするために、例えば以下のように補助文字列（［］内の文字列）を適宜挿入した気象・海象情報５１’，５２’を表示することも可能である。
【００９５】
＜気象・海象情報５１’＞
［観測地］野島崎、［観測時刻］１２［時］５５［分］、［風向］東北東、［風速］２０ｍ，［気圧］１０１２ｈＰａ，波１，うねり１
【００９６】
＜気象・海象情報５２’＞
［観測地］石廊崎、［観測時刻］１２［時］５５［分］、［風向］北北東、［風速］１０ｍ、［気圧］１００８ｈＰａ
【００９７】
実施の形態２．
図７はこの発明の実施の形態２による気象・海象情報表示装置の構成を示す図であり、図８はこの発明の実施の形態２による気象・海象情報表示装置の動作を示すフローチャートである。図７及び図８において、図１，３と同等の部分には同一符号を付してその詳細な説明は省略する。図７において、２５はコンピュータ２０が機能する書込・読出手段、７０は書込・読出手段２５によって書込・読込可能なメモリ（記憶部）であり、表記変換されたタイプ１６メッセージの気象・海象情報をその観測時刻とともに複数記憶するものである。
【００９８】
次に動作について説明する。実施の形態１と同様に、ステップＳＴ１０〜ＳＴ４０までの動作が行われると、次のステップＳＴ６０において、表記変換手段２２で表記変換されたタイプ１６メッセージの気象・海象情報が書込・読出手段２５によってメモリ７０に書込まれる。続いて、読出指示がない限り（ステップＳＴ７０でＮＯ）、ステップＳＴ１０〜ＳＴ６０の一連の動作が繰り返し実施され、書込・読出手段２５によって複数の観測時刻に対応する気象・海象情報がメモリ７０に記憶される。
【００９９】
このようにして複数の観測時刻に対応する気象・海象情報がメモリ７０に記憶され、利用者からＵＩ３０を介して読出指示が与えられると（ステップＳＴ７０でＹＥＳ）、ステップＳＴ８０において、メモリ７０の複数の観測時刻に対応する気象・海象情報は、書込・読出手段２５によって読出され、表示処理手段２３によってディスプレイ５０に表示される。
【０１００】
図９は図７の気象・海象情報表示装置のディスプレイに表示された気象・海象情報の一例を示す図であり、横軸は観測時刻、縦軸は風速を表している。図９では、野島崎、石廊崎で観測された気象・海象情報中の風速を観測時刻毎にグラフ形式でプロットし、ディスプレイ５０に表示させている。このように、メモリ７０を設けて複数の観測時刻に対応するタイプ１６メッセージの気象・海象情報を記憶させるとともに、これら複数の観測時刻に対応するタイプ１６メッセージの気象・海象情報をディスプレイ５０に表示することで、利用者自身が気象・海象情報をメモしなくても、過去の気象・海象情報を把握することができるようになる。
【０１０１】
なお、図９では、風速と観測時刻との関係をディスプレイ５０にグラフ形式で表示したが、この他にも、例えば、複数の観測時刻に対応する気象・海象情報をテーブル形式で単純に表示しても良いし、複数の観測時刻に対応する気象・海象情報を重畳したグラフ形式による表示、適当な時間間隔で気象・海象情報が切り替わるアニメーション形式の表示など、この実施の形態２における気象・海象情報の時系列表示は任意に変更可能である。このように、文字情報である気象・海象情報を加工表示（グラフ形式、テーブル形式、アニメーション形式など）することで、気象・海象情報が視覚的・定量的に把握しやすくなる。
【０１０２】
また、図７，８では、表記変換を行ってから気象・海象情報をメモリ７０に記憶するようにしていたが、表記変換を行わずにタイプ１６メッセージをメモリ７０に複数記憶し、図８のステップＳＴ７０の読出指示が与えられると、実施の形態１で説明した表記変換を行ってディスプレイ５０に表示するようにしても良く、同様の効果が得られる。
【０１０３】
また、タイプ１６メッセージは一定時刻又は一定間隔で、内容が更新されるまで同じ内容が繰り返される。このため、タイプ１６メッセージを受信する毎に気象・海象情報表示装置内のメモリに記憶すると、同一内容の気象・海象情報が複数記憶されてしまう。そこで、メモリに同一内容、つまり、同一時刻の気象・海象情報を受信した場合は、メモリから消去するようにしてもよい。
【０１０４】
さらに、以上の説明では、この実施の形態２を図１に適用した場合について説明したが、この実施の形態２は図６に適用することも可能であり、さらに言えば、表記変換を行わない場合、つまり図１，６に適用することなく実施の形態２単独であっても、同様の効果が得られる。
【０１０５】
実施の形態．３
この実施の形態３では、実施の形態１で得られた気象・海象情報を視覚的・定量的に把握しやすくするための気象・海象情報表示装置について説明する。
【０１０６】
図１０はこの発明の実施の形態３による気象・海象情報表示装置の構成を示す図であり、図１、６と同等の部分には同一符号を付してその詳細な説明は省略する。図１０において、８０は電子海図表示システム（ＥＣＤＩＳ，注４）などで使用されている航海用電子海図（ＥＮＣ，注５）である。ＥＮＣ８０は表示処理手段２３によってディスプレイ５０に表示される。
【０１０７】
図１１はこの発明の実施の形態３による気象・海象情報表示装置の動作を示すフローチャートであり、図３の気象・海象情報表示ステップＳＴ５０における気象・海象情報表示装置の動作を示している。また、図１２は図１０の気象・海象情報表示装置のディスプレイ５０に表示された気象・海象情報の一例を示す図であり、図１１の動作によって作成された気象地図を表している。
【０１０８】
図１２において、５３は対象観測地であり、ここでは、石廊崎、神子元島、伊豆大島、剣崎、観音崎、神津島、野島崎、勝浦、犬吠崎などが選択されている。また、５４は現在時刻であり、ＥＮＣ８０上の左上に重畳表示されている。５５は現在時刻５４での船舶位置であり、ＥＮＣ８０上の船舶の位置に重畳されている。
【０１０９】
５６は各対象観測地５３の気象・海象情報をテーブル形式で表した気象・海象情報テーブルであり、ＥＮＣ８０上の、対応する対象観測地５３周辺に重畳されている。５７は各対象観測地５３の風向および風速を表す風向風速アロー（記号）であり、対応する観測地５３上に重畳表示されている。５８はＥＮＣ８０上の気圧の等しい位置を結んだ等圧線である。
【０１１０】
次に動作について説明する。図３のステップＳＴ１０〜ＳＴ４０からステップＳＴ５０へ移行すると、コンピュータ２０は表示処理手段２３として機能し、ＥＮＣ８０の一部範囲を読出して（ステップＳＴ５１）、ＧＰＳ受信機６０および船位算出手段２４で求めた船舶位置５５をＥＮＣ８０上に書込む（ステップＳＴ５２）。なお、ステップＳＴ５１では、例えば船舶位置５５や各対象観測地５３が含まれるようにＥＮＣ８０の読出範囲を選択しても良いし、ＵＩ３０によってＥＮＣ８０の読出範囲を選択することも可能である。
【０１１１】
続いて表示処理手段２３は、各対象観測地５３の気象・海象情報を使って気象・海象情報テーブル５６を生成し（ステップＳＴ５３）、各対象観測地５３周辺に気象・海象情報テーブル５６をＥＮＣ８０上に書込む（ステップＳＴ５４）。
【０１１２】
さらに表示処理手段２３は、気象・海象情報テーブル５６の書込が完了すると、各対象観測地５３における気象・海象情報テーブル５６中の風向および風速を参照し、風速に比例した長さで風向きと同一方位の風向風速アロー５７を生成して（ステップＳＴ５５）、各対象観測地５３上に風向風速アロー５７を書込む（ステップＳＴ５６）。
【０１１３】
さらに表示処理手段２３は、風向風速アロー５７の書込が完了すると、各対象観測地５３における気象・海象情報テーブル５６の気圧情報を含む気象・海象情報を参照し、ＥＮＣ８０上において気圧の等しい位置を結ぶ等圧線５８を求め、ＥＮＣ８０上に書込む（ステップＳＴ５７）。等圧線５８を求める方法としては、例えば、単に気圧の等しい対象観測地５３を滑らかに結ぶことが考えられる。また、等圧線５８に沿って風が吹くことに着目し、気圧情報に基づいて、ステップＳＴ５５で作成した風向風速アロー５７に沿うような等圧線を推定することも考えられる。以上の動作により、図１２に示すように、ＥＮＣ８０上に、観測地５３、現在時刻５４、船舶位置５５、気象・海象情報テーブル５６、風向風速アロー５７および等圧線５８を重畳させた気象地図を作成することができる。そして、この気象地図をディスプレイ５０に表示する（ステップＳＴ５８）。
【０１１４】
図１２のディスプレイ５０を見ると分かるように、各対象観測地５３毎の気象・海象情報テーブル５６と船舶位置５５とをＥＮＣ８０上に表示することで、各対象観測地５３の気象・海象情報と船舶との関係が一目瞭然になり、各対象観測地５３の気象・海象情報を総合的に把握できるようになる。
【０１１５】
また、気象・海象情報テーブル５６によって気象・海象情報を単に文字によって示すだけでなく、風向風速アロー５７のように、その気象・海象情報を表す記号を生成して、表示するため、英文字を日常的に使わない利用者が気象・海象情報を一瞬で把握し易くなる。また、受信した気象・海象情報に基づいて、等圧線５８を、ＥＮＣ８０上に表示することで、利用者自身が地図上に気圧情報を含む気象・海象情報をメモして、等圧線を書く必要がない。
【０１１６】
なお、以上の説明では、図１２の風向風速アロー５７や等圧線５８をＥＮＣ８０上に書込むようにしていたが、これらは一例であって、この実施の形態３は風向風速アロー５７、等圧線５８に限定されるものではない。この他にも例えば海水温情報として、海水温毎に異なる色の記号を用いるなど、気象・海象情報を色別した記号を用いたものであってもよい。加えて、気象・海象情報の記号化は、風向・風速に限らず、波（の高さ）やうねりなど、タイプ１６メッセージから得られた他の気象・海象情報に対しても実施可能である。
【０１１７】
また、以上の説明では、汎用のＥＮＣ８０上に対して気象・海象情報を加工表示するようにしていたが、この実施の形態３はＥＮＣ８０に限定されるものではない。例えば、ＥＮＣ８０の変わりに、経度・緯度などのグリッド毎に陸上地形の高度・海底地形の深度を記載したマトリクス形式の陸上データ・海底データ（世界測地系や地心座標系）を予め用意しておき、陸上地形、水面および水底地形などからなる鳥瞰図を使って気象・海象情報を加工表示しても良く、同様の効果が得られる。
【０１１８】
実施の形態４．
実施の形態２において、メモリ７０に記憶した各観測時刻の気象・海象情報を視覚的・定量的に把握しやすくするために、各観測時刻毎の気象・海象情報をアニメーション表示しても良い。
【０１１９】
図１３はこの発明の実施の形態４による気象・海象情報表示装置の構成を示す図である。図１３において、上述した図１、６、１０と同等の部分には、同一符号を付してその詳細な説明を省略する。また、図１４はこの発明の実施の形態４による気象・海象情報表示装置の動作を示すフローチャートであり、図８の気象・海象情報読出・表示ステップＳＴ８０における気象・海象情報表示装置の動作を示している。
【０１２０】
次に動作について説明する。図１３のメモリ７０には、図８のステップＳＴ１０〜ＳＴ７０の処理が繰り返され、各観測時刻における気象・海象情報が複数記憶されている。ここでは、４つの観測時刻１２時５５分、１３時２５分、１３時５５分および１４時２５分における気象・海象情報が記憶されているものとする。
【０１２１】
このとき、気象・海象情報のアニメーション表示がＵＩ３０から指定されると（ステップＳＴ７０）、コンピュータ２０は表示処理手段２３として機能し、図１１のステップＳＴ５１と同様、ＥＮＣ８０の一部範囲をまず読出す（図１６のステップＳ８１）。次に最初の気象・海象情報をメモリ７０から読出すと、この気象情報の観測時刻１２時５５分と、ＧＰＳ受信機６０および船位算出手段２４で求めた船舶位置とをＥＮＣ８０上に書き込む（ステップＳＴ８２）。
【０１２２】
さらに表示処理手段２３は、観測時刻１２時５５分の気象・海象情報から風向風速アローを生成し（ステップＳＴ８３）、ＥＮＣ８０上の各対象観測地に風向風速アローを書込む（ステップＳＴ８４）。このようにしてＥＮＣ８０上に観測時刻、船舶位置、風向風速アローが書込まれた気象地図はメモリ７０に一旦記憶される（ステップＳＴ８５）。
【０１２３】
続いて表示処理手段２３は、次の観測時刻１３時２５分における気象・海象情報の処理に移り（ステップＳＴ８６）、ＥＮＣ８０の一部範囲を新たに読出す（ステップＳＴ８１）。なお、ＥＮＣ８０の読出範囲は、各観測時刻にわたって固定させても良いし、船舶位置の変化に応じて変化させても良い。
【０１２４】
観測時刻１２時５５分の場合と同様に、表示処理手段２３は、観測時刻１３時２５分と、観測時刻１３時２５分の気象・海象情報をメモリ７０に格納した時点の船舶位置とをＥＮＣ８０に書込み（ステップＳＴ８２）、観測時刻１３時２５分の風向風速アローを生成して（ステップＳＴ８３）ＥＮＣ８０上の各対象観測地に書込む（ステップＳＴ８４）。こうして、ＥＮＣ８０上に観測時刻、船舶位置、風向風速アローが書込まれた気象地図はメモリ７０に一旦記憶される。
【０１２５】
以下同様に、表示処理手段２３は、残りの観測時刻１３時５５分、１４時２５分における各気象地図をそれぞれ生成し、メモリ７０に一旦記憶する。ただし、最新の観測時刻である観測時刻１４時２５分の気象地図には、メモリ７０に格納した時点ではなく、現在の船舶位置を書込む。そして最後に表示処理手段２３は、メモリ７０に一旦記憶した各気象地図を観測時刻の順番でディスプレイ５０に切替表示し、気象・海象情報のアニメーション表示が実施される（ステップＳＴ８７）。
【０１２６】
図１５は図１３の気象・海象情報表示装置のディスプレイ５０に表示された気象・海象情報の一例を示す図であり、図１４の動作によってＥＮＣ８０上にアニメーション表示された気象・海象情報を表している。
【０１２７】
図１５において、５３は各対象観測地、５４ａ、５４ｂ、５４ｃ、５４ｄは観測時刻、８０ａ，８０ｂ，８０ｃ，８０ｄは観測時刻５４ａ〜５４ｄに対応したＥＮＣ、５５ａ，５５ｂ，５５ｃは各観測時刻での気象・海象情報をメモリ７０に格納した時点での船舶位置、５５ｄは現在の船舶位置、５７ａ，５７ｂ，５７ｃ，５７ｄは各対象観測地５３での風向風速アローである。
【０１２８】
図１５（ａ）〜（ｄ）に示すように、ＥＮＣ８０ａ〜８０ｄ上に、船舶位置５５ａ〜５５ｄと、各観測時刻５４ａ〜５４ｄにおける風向風速アロー５７ａ〜５７ｄとを書込んだ気象地図をディスプレイ５０にアニメーション表示することで、実施の形態２（図９）と同様、時間の経過とともに変化する風向・風速と船舶との関係が一目瞭然となり、加えて、実施の形態３（図１２）と同様、気象・海象情報と船舶との位置関係を容易に把握できる。
【０１２９】
なお、以上の説明では、気象・海象情報の一例として風向風速アロー５７ａ〜５７ｄをＥＮＣ８０に書込んでいたが、気象・海象情報は風向風速アロー５７に限定されるものではなく、実施の形態３同様に、他の気象・海象情報をＥＮＣ８０に書込んでも良いし、気象・海象情報に関する図形的な加工も特に限定されない。
【０１３０】
また、以上の説明では、汎用のＥＮＣ８０上に対して気象・海象情報を表示するようにしていたが、実施の形態３同様に、ＥＮＣ８０とは別の形式の海図情報に対して船舶位置や気象・海象情報などを表示しても良い。
【０１３１】
さらに、図１４では、各観測時刻毎に気象地図を生成してメモリ７０に一旦記憶した後に、気象地図をディスプレイ５０に順次表示したが、この他に、例えば図１６のようにしても良い。つまり、ステップＳＴ８１〜ＳＴ８４で生成した観測時刻１２時５５分に対する気象地図をそのままディスプレイ５０に表示し（ステップＳＴ８８）、以下、観測時刻１３時５５分、１３時２５分、１４時２５分に対する気象地図をディスプレイ５０に順次上書表示（ステップＳＴ８８）する。
【０１３２】
図１６のようにすることで、アニメーション表示が可能となって図１５同様の効果が得られ、加えて、観測時刻１３時２５分、１３時５５分、１４時２５分に対する気象地図をメモリ７０に記憶させる必要がなくなり、メモリ７０の記憶容量を軽減できる。
【０１３３】
さらに、実施の形態２でも述べたように、時系列的に記憶された気象・海象情報の表示は図１５などのアニメーション形式に限定されるものではなく、例えば図１７に示すように、風向風速グラフ５９ｇ−１、気圧グラフ５９ｇ−２、なみうねりグラフ５９ｇ−３や気象・海象情報テーブル５９ｔなどを用いても良いし、以上の各形式を併用しても良い。これらの形式は例えばＵＩ３０によって選択できる。
【０１３４】
さらに、以上の説明では、観測時刻５４ａ〜５４ｄにおける４つの気象・海象情報を用いていたが、気象・海象情報の数は特に限定されるものではなく、加えてメモリ７０に記憶した気象・海象情報を全て用いる必要もない。必要な気象・海象情報は、例えばＵＩ３０によってメモリ７０の気象・海象情報から選択可能である。
【０１３５】
さらに、上述した説明では、観測時刻毎の気象地図を、観測時刻順に切り替えて表示していたが、例えば、同一画面に観測時刻毎の気象地図を並べて表示することも考えられる。
【図面の簡単な説明】
【０１３６】
【図１】この発明の実施の形態１による気象・海象情報表示装置の構成を示す図である。
【図２】表記対照リストを概念的に説明するための図である。
【図３】この発明の実施の形態１による気象・海象情報表示装置の動作を示すフローチャートである。
【図４】気象・海象情報表記変換ステップにおける気象・海象情報表示装置の動作を示すフローチャートである。
【図５】図１の気象・海象情報表示装置のディスプレイに表示された気象・海象情報の一例を示す図である。
【図６】この発明の実施の形態１による気象・海象情報表示装置の構成を示す図である。
【図７】この発明の実施の形態２による気象・海象情報表示装置の構成を示す図である。
【図８】この発明の実施の形態２による気象・海象情報表示装置の動作を示すフローチャートである。
【図９】図７の気象・海象情報表示装置のディスプレイに表示された気象・海象情報の一例を示す図である。
【図１０】この発明の実施の形態３による気象・海象情報表示装置の構成を示す図である。
【図１１】この発明の実施の形態３による気象・海象情報表示装置の動作を示すフローチャートである。
【図１２】図１０の気象・海象情報表示装置のディスプレイ５０に表示された気象・海象情報の一例を示す図であり、図１１の動作によって作成された気象地図である。
【図１３】この発明の実施の形態４による気象・海象情報表示装置の構成を示す図である。
【図１４】この発明の実施の形態４による気象・海象情報表示装置の動作を示すフローチャートである。
【図１５】図１３の気象・海象情報表示装置のディスプレイ５０に表示された気象・海象情報の一例を示す図であり、図１４の動作によってＥＮＣ８０上にアニメーション表示された気象・海象情報である。
【図１６】この発明の実施の形態４による気象・海象情報表示装置の動作を示すフローチャートである。
【図１７】図７の気象・海象情報表示装置のディスプレイ５０に表示された気象・海象情報の一例を示す図である。
【図１８】操船支援情報提供システムの構成を示す図である。
【図１９】タイプ１６メッセージに記述された気象・海象情報を示す図である。
【図２０】従来の気象・海象情報表示装置のディスプレイに表示された気象・海象情報を示す図である。
【符号の説明】
【０１３７】
１０  受信機（受信部）
２０  コンピュータ（制御部）
２１  メッセージ抽出手段
２２  表記変換手段
２３  表示処理手段
２４  船位計測手段
２５  書込・読出手段
３０  ＵＩ（ユーザインタフェース）
４０  表記対照リスト（記憶部）
５０  ディスプレイ（表示部）
６０  ＧＰＳ受信機（ＧＰＳ信号受信部）
７０  メモリ（記憶部）
【図１】
2004258020.tif 000003
【図２】
2004258020.tif 000004
【図３】
2004258020.tif 000005
【図４】
2004258020.tif 000006
【図５】
2004258020.tif 000007
【図６】
2004258020.tif 000008
【図７】
2004258020.tif 000009
【図８】
2004258020.tif 000010
【図９】
2004258020.tif 000011
【図１０】
2004258020.tif 000012
【図１１】
2004258020.tif 000013
【図１２】
2004258020.tif 000014
【図１３】
2004258020.tif 000015
【図１４】
2004258020.tif 000016
【図１５】
2004258020.tif 000017
【図１６】
2004258020.tif 000018
【図１７】
2004258020.tif 000019
【図１８】
2004258020.tif 000020
【図１９】
2004258020.tif 000021
【図２０】
2004258020.tif 000022